(57)【要約】【課題】  光ディスクの信号記録層に記録されている信号の読み出し動作を行う光ピックアップ装置の組み立て方法に関する。【解決手段】  対物レンズを除く光学部品が組み込まれるハウジング１と、対物レンズが固定されているとともに支持ワイヤーによってフォーカス方向及びトラッキング方向への変位を可能に支持されレンズホルダー８を備えた対物レンズ駆動部４と、マグネット１５が固定されるヨークを備え、マグネット１５をヨークに固定した後該ヨークを前記ハウジング１に固定し、その後別個に組み立てられた対物レンズ駆動部４をハウジング１に固定する。【選択図】  図１
2008217887.tif 000002
【特許請求の範囲】
【請求項１】
対物レンズを除く光学部品が組み込まれるハウジングと、対物レンズが固定されているとともに支持ワイヤーによってフォーカス方向及びトラッキング方向への変位を可能に支持され、且つマグネットから生成される磁界との協働によってフォーカス方向及びトラッキング方向への駆動力を生成するフォーカスコイル及びトラッキングコイルが搭載されたレンズホルダーを備えた対物レンズ駆動部と、前記マグネットが固定されるヨークを備えた光ピックアップ装置の組み立て方法であり、マグネットをヨークに固定した後該ヨークを前記ハウジングに固定し、その後別個に組み立てられた対物レンズ駆動部をハウジングに固定するようにしたことを特徴とする光ピックアップ装置の組み立て方法。
【請求項２】
ハウジングの底壁にヨークが嵌合する取付孔を設け、該取付孔にヨークを嵌合させることによってマグネットを前記ハウジングに固定したことを特徴とする請求項１に記載の組み立て方法。
【請求項３】
取付孔が形成されている底壁の厚みと該取付孔に嵌合されるヨークの厚みを同一にしたことを特徴とする請求項２に記載の組み立て方法。
【請求項４】
ハウジングに異なる波長のレーザー光を各々放射する第１及び第２のレーザーダイオードを組み込むとともに各レーザーダイオードから放射されるレーザー光が各々入射される第１及び第２の対物レンズがレンズホルダーに組み込まれていることを特徴とする請求項１に記載の組み立て方法。
【発明の詳細な説明】
【技術分野】
【０００１】
本発明は、光ディスクに記録されている信号の読み出し動作や光ディスクに信号の記録動作を行う光ピックアップ装置の組み立て方法に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００５】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ  ＤＶＤ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
前述したように規格の異なる光ディスクが提案されており、全ての光ディスクを使用することが出来る光ディスク装置が製品化されている。その結果、斯かる光ディスク装置に組み込まれる光ピックアップ装置も異なる規格の光ディスクに対応したものが要求されることになる。斯かる要求に応じるための光ピックアップ装置が開発されている。(特許文献１、２参照。)
また、光ピックアップ装置は、周知のように光学部品が組み込まれているハウジング、対物レンズが固定されているとともに支持ワイヤーによって光ディスクの信号面に対して垂直方向、即ちフォーカス方向及び光ディスクの径方向、即ちトラッキング方向への変位を可能に支持され、且つフォーカスコイルやトラッキングコイルが取付けられているレンズホルダー、そして前記各コイルに作用する磁界を発生するマグネットとを備えている。
【０００９】
斯かる構成の光ピックアップ装置は、支持ワイヤーによって支持されているレンズホルダーが組み込まれる対物レンズ用支持基板にマグネットが固定されるヨークを取付けるこ
とによって対物レンズ駆動部を組み立て、このように組み立てられた対物レンズ駆動部をハウジングに固定することによって組み立てを行うように構成されている。(特許文献３参照。)
【特許文献１】特開２００５−１８２９４１号公報
【特許文献２】特開２００４−２５９４１４号公報
【特許文献３】特開２００４−１６４７５０号公報
【発明の開示】
【発明が解決しようとする課題】
【００１０】
対物レンズ駆動部を構成する対物レンズ用支持基板に対して、対物レンズが固定されるレンズホルダーは支持ワイヤーによってフォーカス方向及びトラッキング方向への変位を可能に支持固定されるが、斯かるレンズホルダーにはフォーカスコイル及びトラッキングコイルが取付けられる。そして、斯かるフォーカスコイル及びトラッキングコイルは、対物レンズを挟んで対称になるようにレンズホルダーの側面に固定されている。
【００１１】
フォーカスコイル及びトラッキングコイルが対物レンズを挟んで対称に設けられると、これらのコイルに対して作用する磁界を発生するマグネットも対物レンズを挟んで対称に設けられることになる。従って、対物レンズ駆動部を組み立てるためには、対物レンズ用支持基板上に前述したレンズホルダーだけでなくマグネットを固定させる必要がある。その結果、対物レンズ用支持基板にはレンズホルダーを挟んでマグネットを固定するためのヨークが設けられるので、両ヨークを連結するための連結部が設けられることになる。
【００１２】
この連結部は、必然的にレンズホルダーの下側に設けられるので、ハウジングに組み込む場合に取付位置に規制を受けやすいだけでなく、光ピックアップ装置の薄型化に対して障害になることが多いという問題がある。
【００１３】
本発明は、斯かる問題を解決することが出来る光ピックアップ装置の組み立て方法を提供しようとするものである。
【課題を解決するための手段】
【００１４】
本発明は、対物レンズを除く光学部品が組み込まれるハウジングと、対物レンズが固定されているとともに支持ワイヤーによってフォーカス方向及びトラッキング方向への変位を可能に支持され、且つマグネットから生成される磁界との協働によってフォーカス方向及びトラッキング方向への駆動力を生成するフォーカスコイル及びトラッキングコイルが搭載されたレンズホルダーを備えた対物レンズ駆動部と、前記マグネットが固定されるヨークを備え、マグネットをヨークに固定した後該ヨークを前記ハウジングに固定し、その後別個に組み立てられた対物レンズ駆動部をハウジングに固定するようにされている。
【００１５】
また、本発明は、ハウジングの底壁にヨークが嵌合する取付孔を設け、該取付孔にヨークを嵌合させることによってマグネットを前記ハウジングに固定したことを特徴とするものである。
【００１６】
そして、本発明は、取付孔が形成されている底壁の厚みと該取付孔に嵌合されるヨークの厚みを同一にしたことを特徴とするものである。
【００１７】
更に、本発明は、ハウジングに異なる波長のレーザー光を各々放射する第１及び第２のレーザーダイオードを組み込むとともに各レーザーダイオードから放射されるレーザー光が各々入射される第１及び第２の対物レンズがレンズホルダーに組み込まれていることを特徴とするものである。
【発明の効果】
【００１８】
本発明は、レンズホルダーに固定されているフォーカスコイル及びトラッキングコイルに作用する磁界を発生するマグネットをヨークに固定した後該ヨークをハウジングに固定し、その後別個に組み立てられた対物レンズ駆動部をハウジングに固定するようにしたので、対物レンズ駆動部の構成が簡潔となるだけでなく、取付作業を容易に行うことが出来る。
【００１９】
また、本発明は、ハウジングの底壁にヨークが嵌合する取付孔を設け、該取付孔にヨークを嵌合させることによってマグネットを前記ハウジングに固定するようにしたので、取付作業が簡単になるという利点を有している。
【００２０】
そして、本発明は、取付孔が形成されている底壁の厚みと該取付孔に嵌合されるヨークの厚みを同一にしたので、即ちハウジングの底壁の厚みを利用してヨークの取付けを行うようにしたので、光ピックアップ装置を薄型化することが出来る。
【００２１】
また、本発明は、ハウジングに異なる波長のレーザー光を各々放射する第１及び第２のレーザーダイオードを組み込むとともに各レーザーダイオードから放射されるレーザー光が各々入射される第１及び第２の対物レンズをレンズホルダーに組み込むようにしたので、規格の異なる光ディスクに対応させた光ピックアップ装置のように光学系の構成が複雑になる光ピックアップ装置に実施することが出来る。
【実施例】
【００２２】
図１は本発明の光ピックアップ装置を示す斜視図、図２、図３及び図４は本発明に係る光ピックアップ装置の組み立て動作を説明するため斜視図である。
【００２３】
図１において、１はアルミニューム等の材料にて成型されたハウジングであり、光ピックアップ装置を構成する光学部品、例えば青紫色のレーザー光を生成放射する第１レーザーダイオード２及び赤色のレーザー光を生成放射する第２レーザーダイオード３が取付固定されている。
【００２４】
４は対物レンズ駆動部であり、図４に示すように対物レンズ用支持基板５に対して各部品が固定支持されるように構成されている。５Ａ及び５Ｂは、前記対物レンズ用支持基板５に一体的に設けられている固定片であり、前記ハウジング１に設けられている固定部１Ａ及び１Ｂに設置固定されるように構成されている。
【００２５】
６は前記対物レンズ用支持基板５に固定されている印刷配線基板、７は一端が前記印刷配線基板に半田によって固定されている支持ワイヤー、８は前記支持ワイヤー７によって光ディスクに対してフォーカス方向及びトラッキング方向への変位を可能に支持されているレンズホルダーである。
【００２６】
９は前記第１レーザーダイオード２から放射される青紫色のレーザー光が第１レーザーダイオード２を使用するために設計された光路を通して入射される第１対物レンズであり、前記レンズホルダー８上に固定されている。１０は前記第２レーザーダイオード３から放射される赤色のレーザー光が第２レーザーダイオード３を使用するために設計された光路を通して入射される第２対物レンズであり、前記レンズホルダー８上に固定されている。前記第１対物レンズ９と第２対物レンズ１０とは、図示したように光ディスクの径方向に並んで配置されている。
【００２７】
１１は前記レンズホルダー８の側面に設けられているフォーカスコイルであり、前記第１対物レンズ９及び第２対物レンズ１０の光軸中心を結ぶ直線を中心とて対称となるよう
に配置されている。また、前記フォーカスコイル１１は、前記レンズホルダー８の同一の側面側に一対設けられている。従って、フォーカスコイル１１は、全部で４個設けられていることになる。
【００２８】
１２は前記レンズホルダー８の側面に設けられているトラッキングコイルであり、前記第１対物レンズ９及び第２対物レンズ１０の光軸中心を結ぶ直線を中心とて対称となるように配置されている。また、前記トラッキングコイル１２は、図示したように第１対物レンズ９と第２対物レンズ１０の中間部に配置されている。
【００２９】
図２において、１３及び１４は同一形状のヨークであり、各々マグネット１５が接着固定される取付用折曲片１３Ａ、１３Ｂ、１３Ｃ及び１４Ａ、１４Ｂ、１４Ｃが形成されているとともに取付部１３Ｄ及び１４Ｄが形成されている。
【００３０】
斯かる構成において、前記ハウジング１を構成する底壁１Ｃの前記ヨーク１３及び１４が取り付けられる位置には、該ヨーク１３及び１４の取付部１３Ｄ及び１４Ｄの形状と同一形状の取付孔１Ｄ及び１Ｅが形成されている。前記ヨーク１３及び１４は、その取付部１３Ｄ及び１４Ｄを前記取付孔１Ｄ及び１Ｅに嵌合させることによってハウジング１に固定するように構成されている。
【００３１】
以上に説明したように本発明に係る光ピックアップ装置は構成されており、次に組み立て方法について説明する。第１レーザーダイオード２及び第２レーザーダイオード３等の光学部品は、図１に示すようにハウジング１上の所定の位置に固定される。
【００３２】
ヨーク１３及び１４は磁性材料にて構成されているとともに図２に示したように取付用折曲片１３Ａ、１３Ｂ、１３Ｃ、１４Ａ、１４Ｂ、１４Ｃ及び取付部１３Ｄ及び１４Ｄが形成されている。斯かる構成のヨーク１３及び１４の各取付用折曲片１３Ａ、１３Ｂ、１３Ｃ、１４Ａ、１４Ｂ、１４Ｃに対しマグネット１５を図示したように接着固定する。
【００３３】
図２は各ヨーク１３及び１４がマグネット１５の接着動作によって組み立てられた状態を示すものであり、斯かる状態から各ヨーク１３及び１４に設けられている取付部１３Ｄ及び１４Ｄをハウジング１の底壁１Ｃに形成されている取付孔１Ｄ及び１Ｅに嵌合させる作業が行われる。
【００３４】
図３は斯かる取付作業が行われた状態を示すものであり、次に、対物レンズ駆動部４の組み立て作業が行われる。対物レンズ駆動部４の組み立て動作は、第１対物レンズ９及び第２対物レンズ１０をレンズホルダー８上の所定の位置に固定するとともにフォーカスコイル１１及びトラッキングコイル１２を前記レンズホルダー８の側面に固定することによって行われる。
【００３５】
また、対物レンズ用支持基板５に印刷配線基板６を固定した後支持ワイヤー７の一端を該印刷配線基板６に半田にて固定するとともに他端を前記レンズホルダー８に設けられている支持部８Ａに半田にて固定する作業が行われる。斯かる作業が行われる結果、レンズホルダー８は前記支持ワイヤー７による印刷配線基板６に対する支持作用によってフォーカス方向及びトラッキング方向への変位を可能に支持されることになる。
【００３６】
図４は斯かる作業が行われた状態を示すものであり、斯かる状態から対物レンズ用支持基板５に設けられている固定片５Ａ及び５Ｂをハウジング１に形成されている固定部１Ａ及び１Ｂに設置固定させる作業を行うと図１に示す状態になる。前記対物レンズ用支持基板５に設けられている固定片５Ａ及び５Ｂをハウジング１に形成されている固定部１Ａ及び１Ｂに設置固定させることによって対物レンズ駆動部４のハウジング１への固定作業は
行われるが、該対物レンズ駆動部４の位置決め等は他の部分、例えば対物レンズ用支持基板５の底面とハウジング１に設けられている位置決め部材(図示せず)との当接によって行うようにすることも出来る。
【００３７】
また、前記対物レンズ用支持基板５のハウジング１への固定動作は、接着剤による固定動作や螺子による螺合動作によっても行うことは勿論可能である。
【００３８】
尚、本説明では、本発明に関わる部品のみについて説明しており、その他の部品に関する説明は省略している。また、レンズホルダー８に第１対物レンズ９及び第２対物レンズ１０の２つの対物レンズを固定した場合について説明したが、１つの対物レンズの場合にも実施することは出来る。
【図面の簡単な説明】
【００３９】
【図１】本発明の光ピックアップ装置を示す斜視図である。
【図２】本発明の組み立て方法を説明するための斜視図である。
【図３】本発明の組み立て方法を説明するための斜視図である。
【図４】本発明の組み立て方法を説明するための斜視図である。
【符号の説明】
【００４０】
１      ハウジング
２      第１レーザーダイオード
３      第２レーザーダイオード
４      対物レンズ駆動部
５      対物レンズ用支持基板
６      印刷配線基板
７      支持ワイヤー
８      レンズホルダー
９      第１対物レンズ
１０    第２対物レンズ
１１    フォーカスコイル
１２    トラッキングコイル
１３    ヨーク
１４    ヨーク
１５    マグネット
【図１】
2008217887.tif 000003
【図２】
2008217887.tif 000004
【図３】
2008217887.tif 000005
【図４】
2008217887.tif 000006